(57)【要約】【課題】  騒音の発生を低減した光源装置、投影装置、騒音低減方法及びプログラムを提供すること。【解決手段】  光源装置６０は、光源光を予め定めた特性の光に調光して異なる波長帯域の光を出射する複数のホイール部材（蛍光ホイール１０１，拡散ホイール２０１，拡散ホイール３０１）と、各ホイール部材の駆動部であるモータ１１０，２１０，３１０と、各ホイール部材の回転周波数が異なるように、駆動部を制御する制御部と、を備える。【選択図】  図３
2019124719.tif 000002
【特許請求の範囲】
【請求項１】
光源光を予め定めた特性の光に調光して異なる波長帯域の光を出射する複数のホイール部材と、
前記ホイール部材を回転駆動させる駆動部と、
各前記ホイール部材の回転周波数が異なるように、前記駆動部を制御する制御部と、
を備えることを特徴とする光源装置。
【請求項２】
一方の前記ホイール部材の前記回転周波数は、他方の前記ホイール部材の前記回転周波数の非整数倍であることを特徴とする請求項１に記載の光源装置。
【請求項３】
一方の前記ホイール部材の前記回転周波数は、他方の前記ホイール部材の前記回転周波数の共振周波数とは異なる前記回転周波数である
ことを特徴とする請求項１又は２に記載の光源装置。
【請求項４】
前記制御部は、前記複数のホイール部材の前記回転周波数の比率が無理数になるように、前記駆動部を制御する
ことを特徴とする請求項１から３の何れか１項に記載の光源装置。
【請求項５】
前記ホイール部材は、周方向に複数の光源セグメントを有する第一ホイール部材と、周方向に単一の光源セグメントを有する第二ホイール部材とを含むことを特徴とする請求項１から４の何れか１項に記載の光源装置。
【請求項６】
前記光源光は第一波長帯域光及び第二波長帯域光であり、
前記第一ホイール部材は、前記第一波長帯域光を透過する第一透過領域と、前記第一波長帯域光により励起されて第三波長帯域光を出射させる第一蛍光発光領域とを周方向に並設する蛍光ホイールであり、
前記第二ホイール部材は、前記第二波長帯域光が入射されて前記第二波長帯域光の波長帯域における所定の光を遮光して前記第二波長帯域光を透過する第二透過領域を全周に有する第一拡散ホイール、及び、前記第一透過領域を透過した前記第一波長帯域光を拡散透過させる拡散透過領域を全周に有する第二拡散ホイールの、一方又は両方を含む、
ことを特徴とする請求項５に記載の光源装置。
【請求項７】
前記光源光は第一波長帯域光であり、
前記第一ホイール部材は、前記第一波長帯域光により励起されて第三波長帯域光を出射させる第一蛍光発光領域と、前記第一波長帯域光により励起されて第二波長帯域光を出射させる第二蛍光発光領域とを有する蛍光ホイールであり、
前記第二ホイール部材は、前記第一波長帯域光を透過する透過領域を全周に有する拡散ホイールである、
ことを特徴とする請求項５に記載の光源装置。
【請求項８】
前記第一波長帯域光、前記第二波長帯域光及び前記第三波長帯域光は、各々青色波長帯域光、赤色波長帯域光及び緑色波長帯域光であることを特徴とする請求項６又は請求項７の何れかに記載の光源装置。
【請求項９】
請求項１乃至請求項８の何れかに記載の光源装置と、
画像光を生成する表示素子と、
前記表示素子から出射された画像光をスクリーンに投影する投影側光学系と、
を備え、
前記制御部は、前記光源装置及び前記表示素子を制御する、
ことを特徴とする投影装置。
【請求項１０】
前記表示素子は、ＤＭＤ（Ｄｉｇｉｔａｌ  Ｍｉｒｒｏｒ  Ｄｅｖｉｃｅ）又はＬＣＤ（Ｌｉｑｕｉｄ  Ｃｒｙｓｔａｌ  Ｄｉｓｐｌａｙ）であることを特徴とする請求項９に記載の投影装置。
【請求項１１】
光源装置の騒音低減方法であって、
光源光を予め定めた特性の光に調光して異なる波長帯域の光を出射する複数のホイール部材を回転駆動させる駆動部を、各前記ホイール部材の回転周波数が異なるように、制御する制御ステップ、
を含むことを特徴とする騒音低減方法。
【請求項１２】
光源装置が実行するプログラムであって、
光源光を予め定めた特性の光に調光して異なる波長帯域の光を出射する複数のホイール部材を回転駆動させる駆動部を、各前記ホイール部材の回転周波数が異なるように制御する制御手段、
としての機能を実行することを特徴とするプログラム。
【発明の詳細な説明】
【技術分野】
【０００１】
本発明は、光源装置、光源装置を備える投影装置並びに光源装置の騒音低減方法及びプログラムに関する。
【背景技術】
【０００２】
今日、パーソナルコンピュータの画面やビデオ画面、さらにメモリカード等に記憶されている画像データによる画像等をスクリーンに投影する画像投影装置として、データプロジェクタが多用されている。このプロジェクタは、光源から出射された光をＤＭＤ（Ｄｉｇｉｔａｌ  Ｍｉｒｒｏｒ  Ｄｅｖｉｃｅ）と呼ばれるマイクロミラー表示素子や液晶板に集光させ、スクリーン上にカラー画像を表示させる。
【０００３】
例えば、特許文献１には、光源と、蛍光ホイールと、カラーホイールと、制御部とを備える投影装置が開示されている。蛍光ホイールは、光源からの出射光を受けて異なる波長帯域光を出射する複数の光源セグメントを有する。カラーホイールは、所定の波長帯域の光を透過する第一透過領域と、第二透過領域とを有して、蛍光ホイールからの異なる波長帯域光が照射される。また、制御部は、蛍光ホイールとカラーホイールとが同期されるように蛍光ホイールとカラーホイールを制御するとともに、複数の光源セグメントに出射光が順次照射されるように光源を制御する。
【先行技術文献】
【特許文献】
【０００４】
【特許文献１】特開２０１７−００３６４３号公報
【発明の概要】
【発明が解決しようとする課題】
【０００５】
しかしながら、特許文献１のような投影装置では、画像投影時に蛍光ホイールとカラーホイールとを同期させて回転させているため、筐体等との共振によって、騒音の発生が想定される。
【０００６】
本発明は、以上の点に鑑み、騒音の発生を低減することを目的とする。
【課題を解決するための手段】
【０００７】
本発明の光源装置は、光源光を予め定めた特性の光に調光して異なる波長帯域の光を出射する複数のホイール部材と、前記ホイール部材を回転駆動させる駆動部と、各前記ホイール部材の回転周波数が異なるように、前記駆動部を制御する制御部と、を備えることを特徴とする。
【０００８】
本発明の投影装置は、上述の光源装置と、画像光を生成する表示素子と、前記表示素子から出射された画像光をスクリーンに投影する投影側光学系と、を備え、前記制御部は、前記光源装置及び前記表示素子を制御する、ことを特徴とする。
【０００９】
本発明の騒音低減方法は、光源装置の騒音低減方法であって、光源光を予め定めた特性の光に調光して異なる波長帯域の光を出射する複数のホイール部材を回転駆動させる駆動部を、各前記ホイール部材の回転周波数が異なるように、制御する制御ステップ、を含むことを特徴とする。
【００１０】
本発明のプログラムは、光源装置が実行するプログラムであって、光源光を予め定めた特性の光に調光して異なる波長帯域の光を出射する複数のホイール部材を回転駆動させる駆動部を、各前記ホイール部材の回転周波数が異なるように制御する制御手段、としての機能を実行することを特徴とする。
【発明の効果】
【００１１】
本発明によれば、騒音の発生を低減することができる。
【図面の簡単な説明】
【００１２】
【図１】本発明の実施形態１に係る投影装置を示す外観斜視図である。
【図２】本発明の実施形態１に係る投影装置の機能回路ブロックを示す図である。
【図３】本発明の実施形態１に係る投影装置の内部構造を示す平面模式図である。
【図４】本発明の実施形態１に係る投影装置のホイール部材であり、（ａ）は蛍光ホイールの平面模式図を示し、（ｂ）はカラーホイールの平面模式図を示す。
【図５】本発明の実施形態１に係る投影装置が備える拡散ホイールの平面模式図である。
【図６】本発明の実施形態２に係る投影装置の機能回路ブロックを示す図である。
【図７】本発明の実施形態２に係る投影装置の内部構造の一部を示す平面模式図である。
【図８】本発明の実施形態２に係る投影装置が備える蛍光ホイールの平面模式図である。
【発明を実施するための形態】
【００１３】
（実施形態１）
以下、本発明を実施するための形態について述べる。図１は、本実施形態に係る投影装置１０の外観斜視図である。尚、本実施形態において、投影装置１０における左右とは投影方向に対しての左右方向を示し、前後とは投影装置１０に対してスクリーン側方向を前、その反対側を後として示す。
【００１４】
投影装置１０は、図１に示すように、略直方体形状である。投影装置１０は、筐体の前方の側板である正面パネル１２の左方に投影口を覆うレンズカバー１９を有する。正面パネル１２には複数の吸気孔１８や排気孔１７が設けられる。また、図示しないが、投影装置１０はリモートコントローラからの制御信号を受信するＩｒ受信部を備えている。
【００１５】
筐体の上面パネル１１にはキー／インジケータ部３７が設けられる。このキー／インジケータ部３７には、電源スイッチキーや電源のオン又はオフを報知するパワーインジケータ、投影のオン又はオフを切りかえる投影スイッチキー、光源装置６０や表示素子５１又は制御回路等が過熱したときに報知する過熱インジケータ等のキーやインジケータが配置されている。
【００１６】
さらに、筐体の背面パネルには、ＵＳＢ端子や画像信号入力用のＤ−ＳＵＢ端子、Ｓ端子、ＲＣＡ端子等を設ける入出力コネクタ部及び電源アダプタプラグ等の各種端子２０が設けられている。また、背面パネルには、複数の吸気孔が形成されている。尚、図示しない筐体の側板である右側パネル、及び、図１に示した側板である左側パネル１５には、各々複数の排気孔１７が形成される。また、左側パネル１５の背面パネル近傍の隅部には、吸気孔１８も形成されている。
【００１７】
次に、投影装置１０の投影装置制御部について、図２の機能回路ブロック図を用いて述べる。投影装置制御部は、制御部３８（制御手段）、入出力インターフェース２２、画像変換部２３、表示エンコーダ２４、表示駆動部２６等から構成される。入出力コネクタ部２１から入力された各種規格の画像信号は、入出力インターフェース２２、システムバス（ＳＢ）を介して画像変換部２３で表示に適した所定のフォーマットの画像信号に統一するように変換された後、表示エンコーダ２４に出力される。
【００１８】
また、表示エンコーダ２４は、入力された画像信号をビデオＲＡＭ２５に展開記憶された上でこのビデオＲＡＭ２５の記憶内容からビデオ信号を生成して表示駆動部２６に出力する。
【００１９】
表示駆動部２６は、表示エンコーダ２４から出力された画像信号に対応して適宜フレームレートで空間的光変調素子（ＳＯＭ）である表示素子５１を駆動する。この投影装置１０は、光源装置６０から出射された光線束を、導光光学系を介して表示素子５１に照射することにより、表示素子５１の反射光で光学像を形成し、後述する投影側光学系を介して図示しないスクリーンに画像を投影表示する。なお、この投影側光学系の可動レンズ群２３５は、レンズモータ４５によりズーム調整やフォーカス調整のための駆動を行うことができる。
【００２０】
また、画像圧縮／伸長部３１は、画像信号の輝度信号及び色差信号をＡＤＣＴ及びハフマン符号化等の処理によりデータ圧縮して着脱自在な記録媒体であるメモリカード３２に順次書き込む記録処理を行う。さらに、画像圧縮／伸長部３１は、再生モード時にメモリカード３２に記録された画像データを読み出し、一連の動画を構成する個々の画像データを１フレーム単位で伸長し、画像変換部２３を介して表示エンコーダ２４に出力する。よって、画像圧縮／伸長部３１は、メモリカード３２に記憶された画像データに基づいて動画等の表示を行うことができる。
【００２１】
制御部３８は、投影装置１０内の各回路の動作制御を司るものであって、ＣＰＵや各種セッティング等の動作プログラムや騒音低減方法を実行するためのプログラムを固定的に記憶したＲＯＭ及びワークメモリとして使用されるＲＡＭ等により構成される。
【００２２】
キー／インジケータ部３７は、筐体の上面パネル１１に設けられるメインキー及びインジケータ等により構成される。キー／インジケータ部３７の操作信号は、制御部３８に直接送出される。また、リモートコントローラからのキー操作信号は、Ｉｒ受信部３５で受信され、Ｉｒ処理部３６でコード信号に復調されて制御部３８に出力される。
【００２３】
制御部３８にはシステムバス（ＳＢ）を介して音声処理部４７が接続されている。音声処理部４７は、ＰＣＭ音源等の音源回路を備えており、投影モード及び再生モード時には音声データをアナログ化し、スピーカ４８を駆動して拡声放音させる。
【００２４】
制御部３８は、光源制御回路４１を制御している。光源制御回路４１は、画像生成時に要求される所定波長帯域の光が光源装置６０から出射されるように、光源装置６０の励起光照射装置７０等の動作を個別に制御する。また、光源制御回路４１は、制御部３８の指示により、光源装置６０の出力モードに応じて、図３等で後述する蛍光ホイール１０１及び拡散ホイール２０１の同期のタイミングを制御する。
【００２５】
また、制御部３８は、冷却ファン駆動制御回路４３に光源装置６０等に設けた複数の温度センサによる温度検出を行わせ、この温度検出の結果から冷却ファンの回転速度を制御させている。また、制御部３８は、冷却ファン駆動制御回路４３にタイマー等により投影装置１０本体の電源ＯＦＦ後も冷却ファンの回転を持続させる、あるいは、温度センサによる温度検出の結果によっては投影装置１０本体の電源をＯＦＦにする等の制御も行う。
【００２６】
図３は、投影装置１０の内部構造を示す平面模式図である。投影装置１０は、右側パネル１４の近傍に制御回路基板２４１を備える。この制御回路基板２４１は、電源回路ブロックや光源制御ブロック等を備えている。また、投影装置１０は、制御回路基板２４１の側方、つまり、投影装置１０の筐体の略中央部分に光源装置６０を備える。また、投影装置１０は、光源装置６０と左側パネル１５との間に、光源側光学系１７０や投影側光学系２２０を備える。
【００２７】
光源装置６０は、青色波長帯域光（第一波長帯域光）の光源であって励起光源でもある励起光照射装置７０と、緑色波長帯域光（第三波長帯域光）の光源である緑色光源装置８０と、赤色波長帯域光（第二波長帯域光）の光源である赤色光源装置１２０と、拡散ホイール装置２００と、拡散ホイール装置３００とを備える。緑色光源装置８０は、励起光照射装置７０と蛍光ホイール装置１００により構成される。
【００２８】
光源装置６０には、各色波長帯域光を導光する導光光学系１４０が配置されている。導光光学系１４０は、各光源装置から出射される光を光源側光学系１７０に導光する。
【００２９】
励起光照射装置７０は、投影装置１０の筐体の左右方向における略中央部分であって背面パネル１３近傍に配置される。励起光照射装置７０は、複数の青色レーザダイオード７１から成る光源群、反射ミラー群７５、集光レンズ７８及びヒートシンク８１を備える。青色レーザダイオード７１は、半導体発光素子であり、背面パネル１３と光軸が平行になるよう配置される。反射ミラー群７５は、各青色レーザダイオード７１からの出射光の光軸を正面パネル１２方向に９０度変換する。集光レンズ７８は、反射ミラー群７５で反射した各青色レーザダイオード７１からの出射光を集光する。ヒートシンク８１は、青色レーザダイオード７１と右側パネル１４との間に配置される。
【００３０】
光源群は、複数の青色レーザダイオード７１がマトリクス状に配置されて形成される。各青色レーザダイオード７１の光軸上には、各青色レーザダイオード７１からの出射光の指向性を高めるように、各々平行光に変換する複数のコリメータレンズ７３が配置されている。反射ミラー群７５は、階段状に位置調整されて複数配置され、ミラー基盤と一体化される。反射ミラー群７５は、青色レーザダイオード７１から出射される光線束を一方向に縮小して集光レンズ７８に出射する。
【００３１】
ヒートシンク８１と背面パネル１３との間には冷却ファン２６１が配置される。青色レーザダイオード７１は、この冷却ファン２６１とヒートシンク８１とによって冷却される。また、反射ミラー群７５と背面パネル１３との間にも冷却ファン２６１が配置される。反射ミラー群７５及び集光レンズ７８は、この冷却ファン２６１によって冷却される。
【００３２】
蛍光ホイール装置１００は、励起光照射装置７０から出射される励起光の光路上であって、正面パネル１２の近傍に配置される。蛍光ホイール装置１００は、蛍光ホイール１０１（第一ホイール部材）、駆動部であるモータ１１０、集光レンズ群１１１及び集光レンズ１１６を備える。蛍光ホイール１０１は、正面パネル１２と平行となるように、つまり、励起光照射装置７０からの出射光の光軸と直交するように配置されるホイール部材である。ここで、蛍光ホイール１０１について説明する。
【００３３】
図４（ａ）は、蛍光ホイール１０１の平面模式図である。蛍光ホイール１０１は、円板状に形成され、その中央に取付孔部１１２を有する。この取付孔部１１２がモータ１１０の軸部に固定される。蛍光ホイール１０１は、モータ１１０の回転とともに軸周りに回転することができる。
【００３４】
蛍光ホイール１０１は、複数の光源セグメントである蛍光発光領域１０２（第一蛍光発光領域）と透過領域１０３（第一透過領域）を、周方向の環状に連続して並設している。蛍光ホイール１０１の基材は銅やアルミニウム等から成る金属基材等とすることができる。この基材の励起光照射装置７０側の表面は銀蒸着等によってミラー加工されている。蛍光発光領域１０２は、このミラー加工された表面に形成される。蛍光発光領域１０２には緑色蛍光体層が形成される。蛍光発光領域１０２は、励起光照射装置７０からの青色波長帯域光を励起光として受けて、全方位に緑色波長帯域光を蛍光光として出射する。この蛍光光は、蛍光ホイール１０１から背面パネル１３側へ出射され、集光レンズ群１１１に入射する（図３参照）。
【００３５】
透過領域１０３には、基材の切抜き透光部分に透光性を有する透明基材が嵌入される。この透明基材は、ガラスや樹脂等の透明な材料で形成することができる。また、透明基材は、青色波長帯域光が照射される側又はその反対側の表面に拡散層を設けるようにしてもよい。拡散層は、例えば、その透明基材の表面をサンドブラスト等による微細凹凸を形成することにより設けられる。透過領域１０３に入射された励起光照射装置７０からの青色波長帯域光は、透過領域１０３で透過又は拡散透過され、図３に示した集光レンズ１１６に入射する。
【００３６】
図３に戻り、モータ１１０は、蛍光ホイール１０１を回転駆動する。集光レンズ群１１１は、励起光照射装置７０から出射される励起光の光線束を蛍光ホイール１０１に集光するとともに蛍光ホイール１０１から背面パネル１３方向に出射される光線束を集光する。集光レンズ１１６は、蛍光ホイール１０１から正面パネル１２方向に出射される光線束を集光する。モータ１１０の正面パネル１２側には冷却ファン２６１が配置されており、蛍光ホイール装置１００等はこの冷却ファン２６１によって冷却される。
【００３７】
赤色光源装置１２０は、赤色光源装置１２０が出射する赤色波長帯域光の光軸が、蛍光ホイール１０１から出射される緑色波長帯域光の光軸と交差するように配置される。赤色光源装置１２０は、複数の赤色レーザダイオード１２１、コリメータレンズ１２２、集光レンズ１２３、拡散板１２４及び集光レンズ１２５を備える。赤色レーザダイオード１２１は、青色レーザダイオード７１の出射光と光軸が略平行となるように配置される。赤色レーザダイオード１２１は、赤色波長帯域光を出射する。コリメータレンズ１２２は、赤色レーザダイオード１２１からの出射光を平行光に変換することで指向性を高める。集光レンズ１２３は、赤色レーザダイオード１２１から出射された赤色波長帯域光の光線束を集光して拡散板１２４に入射させる。拡散板１２４は、集光レンズ１２３からの赤色波長帯域光を拡散透過させて、集光レンズ１２５に出射する。集光レンズ１２５は、拡散板１２４から出射された赤色波長帯域光を集光させて拡散ホイール２０１に導光する。
【００３８】
また、赤色光源装置１２０は、赤色レーザダイオード１２１の右側パネル１４側にヒートシンク１３０を備える。このヒートシンク１３０と正面パネル１２との間には、冷却ファン２６１が配置される。赤色レーザダイオード１２１は、この冷却ファンとヒートシンク１３０とによって冷却される。
【００３９】
拡散ホイール装置２００は、拡散ホイール２０１（第二ホイール部材，第一拡散ホイール）と、その拡散ホイール２０１を回転駆動するモータ２１０（駆動部）とを備える。拡散ホイール装置２００は、拡散ホイール２０１が集光レンズ１２５から出射された光線束の光軸と直交するように、集光レンズ１２５と第一ダイクロイックミラー１４１との間に配置されるホイール部材である。ここで、拡散ホイール２０１の詳細について説明する。
【００４０】
図４（ｂ）は、拡散ホイール２０１を正面から見た模式図である。拡散ホイール２０１は、円板状に形成され、その中央に取付孔部１１３を有する。この取付孔部１１３はモータ２１０の軸部に固定される。拡散ホイール２０１はモータ２１０の回転とともに軸周りに回転する。
【００４１】
拡散ホイール２０１は、図３に示す集光レンズ１７３によって集光された赤色波長帯域光が照射される位置に、単一の光源セグメントである赤透過領域２０２（第二透過領域）を有する。赤透過領域２０２は、周方向の全周に亘って連続して形成される。赤透過領域２０２は、赤色波長帯域光における低波長側及び高波長側の所定の波長帯域の光を遮光するため、赤色波長帯域光を透過して緑色波長帯域光及び青色波長帯域光を遮光する。したがって、赤色レーザダイオード１２１が出射する赤色波長帯域光に長波長側の成分が含まれている等により色純度が悪い場合であっても、赤透過領域２０２を透過した赤色波長帯域光の色純度を向上させることができる。なお、赤透過領域２０２は、赤色波長帯域光を透過するとともに可視光波長帯域外の光を透過するように構成してもよい。
【００４２】
本実施形態では、制御部３８は、光源制御回路４１により、拡散ホイール２０１を蛍光ホイール１０１と非同期で回転駆動している。拡散ホイール２０１は、赤透過領域２０２を全周に亘って備えているため、非同期で回転駆動させても、光源装置６０は異なる波長帯域の光を時分割で出射することができる。そのため、赤透過領域２０２は、特定箇所に光が照射されて焼き付きにより劣化することを防止できる。
【００４３】
図３に戻り、拡散ホイール２０１に入射した赤色波長帯域光の光線束は、拡散ホイール２０１に設けられた赤透過領域２０２を透過することにより、色純度が向上されるように調光された赤色波長帯域光として、第一ダイクロイックミラー１４１に向かって出射される。
【００４４】
導光光学系１４０は、光線束を集光させる集光レンズ１４６，１４７，１４９や、各光線束の光軸を変換して同一の光軸とする、反射ミラー（第一反射ミラー１４３，第二反射ミラー１４５）及びダイクロイックミラー（第一ダイクロイックミラー１４１，第二ダイクロイックミラー１４８）等からなる。以下、各部材について説明する。
【００４５】
第一ダイクロイックミラー１４１は、集光レンズ７８と集光レンズ群１１１との間の位置に配置される。第一ダイクロイックミラー１４１は青色波長帯域光及び赤色波長帯域光を透過し、緑色波長帯域光を反射してその光軸を集光レンズ１４９方向へ９０度変換する。
【００４６】
第一反射ミラー１４３は、蛍光ホイール１０１を透過又は拡散透過した青色波長帯域光の光軸上、つまり、集光レンズ１１６と正面パネル１２との間に配置される。第一反射ミラー１４３は、青色波長帯域光を反射してその光軸を左側パネル１５方向に９０度変換する。集光レンズ１４６は、第一反射ミラー１４３における左側パネル１５側に配置される。第二反射ミラー１４５は、この集光レンズ１４６の左側パネル１５側に配置される。集光レンズ１４７は、第二反射ミラー１４５の背面パネル１３側に配置される。第二反射ミラー１４５は、第一反射ミラー１４３により反射され、集光レンズ１４６で集光された青色波長帯域光の光軸を、背面パネル１３側の拡散ホイール３０１に向けて９０度変換する。
【００４７】
拡散ホイール装置３００は、集光レンズ１４７から出射される励起光の光路上であって、正面パネル１２の近傍に配置される。拡散ホイール装置３００は、拡散ホイール３０１（第二ホイール部材，第二拡散ホイール）及びモータ３１０（駆動部）を備える。拡散ホイール３０１は、集光レンズ１４７からの出射光の光軸と直交するように配置される。モータ３１０は、拡散ホイール３０１を回転駆動する。ここで、拡散ホイール３０１の詳細について説明する。
【００４８】
図５は、拡散ホイール３０１の平面模式図である。拡散ホイール３０１は、円板状に形成され、その中央に取付孔部１１４を有する。この取付孔部１１４はモータ３１０の軸部に固定される。拡散ホイール３０１はモータ３１０の回転とともに軸周りに回転することができる。
【００４９】
拡散ホイール３０１は、図３に示す集光レンズ１４７によって集光された青色波長帯域光が照射される位置に、単一の光源セグメントである拡散透過領域３０２（第三透過領域）を有する。拡散透過領域３０２は、周方向の全周に亘って連続して形成される。拡散透過領域３０２は、集光レンズ１４７から入射した青色波長帯域光を拡散透過させる。
【００５０】
本実施形態では、制御部３８は、光源制御回路４１により、拡散ホイール３０１を蛍光ホイール１０１と非同期で回転駆動している。なお、制御部３８は、拡散ホイール３０１、蛍光ホイール１０１及び拡散ホイール２０１を非同期で回転駆動してもよい。拡散ホイール２０１及び拡散ホイール３０１は、各々赤透過領域２０２及び拡散透過領域３０２を全周に亘って備えているため、非同期で回転駆動させても、光源装置６０は異なる波長帯域の光を時分割で出射することができる。そのため、拡散透過領域３０２は、特定箇所に光が照射されて焼き付きにより劣化することを防止できる。
【００５１】
図３に戻り、集光レンズ１４９は、第一ダイクロイックミラー１４１の左側パネル１５側に配置される。第一ダイクロイックミラー１４１により反射又は透過された、緑色波長帯域光及び赤色波長帯域光は、集光レンズ１４９に入射する。
【００５２】
第二ダイクロイックミラー１４８は、集光レンズ１４９の左側パネル１５側であって、集光レンズ１４７の背面パネル１３側に配置される。第二ダイクロイックミラー１４８は、赤色波長帯域光及び緑色波長帯域光を反射して背面パネル１３側に光軸を９０度変換する。また、第二ダイクロイックミラー１４８は青色波長帯域光を透過させる。
【００５３】
そして、集光レンズ１４９で集光された緑色波長帯域光及び赤色波長帯域光は、第二ダイクロイックミラー１４８により反射され、光源側光学系１７０の集光レンズ１７３に入射する。集光レンズ１４７で集光された青色波長帯域光は、第二ダイクロイックミラー１４８を透過して、集光レンズ１７３に入射する。
【００５４】
光源側光学系１７０は、集光レンズ１７３、ライトトンネル１７５、集光レンズ１７８、光軸変換ミラー１８１、集光レンズ１８３、照射ミラー１８５、コンデンサレンズ１９５を備える。なお、コンデンサレンズ１９５は、コンデンサレンズ１９５の背面パネル１３側に配置される表示素子５１から出射された画像光を投影側光学系２２０に向けて出射するので、投影側光学系２２０の一部でもある。
【００５５】
集光レンズ１７３は、ライトトンネル１７５に対し第二ダイクロイックミラー１４８側に配置される。集光レンズ１７３は、第二ダイクロイックミラー１４８からの光源光を集光させる。集光レンズ１７３により集光された各色波長帯域光は、ライトトンネル１７５に向かって出射される。ライトトンネル１７５に入射した光線束は、ライトトンネル１７５内で均一な強度分布の光線束となる。
【００５６】
ライトトンネル１７５の背面パネル１３側の光軸上には、集光レンズ１７８が配置される。集光レンズ１７８のさらに背面パネル１３側には、光軸変換ミラー１８１が配置される。ライトトンネル１７５の出射口から出射した光線束は、集光レンズ１７８で集光された後、光軸変換ミラー１８１により、左側パネル１５側に反射される。
【００５７】
光軸変換ミラー１８１で反射した光線束は、集光レンズ１８３により集光された後、照射ミラー１８５により、コンデンサレンズ１９５を介して表示素子５１に所定の角度で照射される。ＤＭＤである表示素子５１の背面パネル１３側にはヒートシンク１９０が設けられる。表示素子５１は、このヒートシンク１９０により冷却される。
【００５８】
光源側光学系１７０により表示素子５１の画像形成面に照射された光源光は、表示素子５１の画像形成面で反射され、投影光として投影側光学系２２０を介してスクリーンに投影される。ここで、投影側光学系２２０は、コンデンサレンズ１９５、可動レンズ群２３５、固定レンズ群２２５により構成される。可動レンズ群２３５は、レンズモータ４５により移動可能に形成される。また、可動レンズ群２３５及び固定レンズ群２２５は、固定鏡筒に内蔵される。そのため、可動レンズ群２３５を備える固定鏡筒は、可変焦点型レンズとされ、ズーム調節やフォーカス調節が可能に形成される。
【００５９】
このように投影装置１０を構成することで、蛍光ホイール１０１を回転させるとともに励起光照射装置７０及び赤色光源装置１２０から任意のタイミングで光を出射すると、緑色、青色及び赤色の各波長帯域光が導光光学系１４０を介して集光レンズ１７３に入射され、光源側光学系１７０を介して表示素子５１に入射される。そのため、投影装置１０の表示素子５１であるＤＭＤがデータに応じて各色の光を時分割表示することにより、スクリーンにカラー画像を投影することができる。
【００６０】
以上、本実施形態によると、二個以上のホイール部材である、蛍光ホイール１０１、拡散ホイール２０１及び拡散ホイール３０１を備えた光源装置６０において、蛍光ホイール１０１、拡散ホイール２０１及び拡散ホイール３０１の各回転周波数を非同期で駆動制御する構成について説明した。そのため、二個以上の回転するホイール部材が互いに振動を強め合あって共振することを防ぐことができる。よって、光源装置６０及び投影装置１０の騒音の発生を低減させることができる。
【００６１】
なお、本実施形態では、光源光を予め定めた特性の光に調光するホイール部材として、蛍光ホイール１０１、拡散ホイール２０１及び拡散ホイール３０１を備える構成について説明したが、赤色レーザダイオード１２１の代わりに赤色ＬＥＤを使用して赤色波長帯域光の色純度の調光を必要としない場合等では、拡散ホイール２０１を有した拡散ホイール装置２００を備えない構成としてもよい。また、光源装置６０は、青色波長帯域光を透過領域１０３における透過の際に十分拡散できる場合等では、拡散ホイール３０１を有した拡散ホイール装置３００を備えない構成としてもよい。
【００６２】
また、拡散ホイール２０１及び拡散ホイール３０１の回転周波数は、蛍光ホイール１０１の回転周波数に対して高く又は低くすることができる。
【００６３】
また、蛍光ホイール１０１、拡散ホイール２０１及び拡散ホイール３０１のいずれか一方の回転周波数を、他方の回転周波数に対し非整数倍（例えば、√２倍）とすることができる。具体的には、拡散ホイール２０１及び拡散ホイール３０１の回転周波数を、蛍光ホイール１０１の回転周波数に対して√２倍とすることができる。或いは、拡散ホイール２０１の回転周波数を拡散ホイール３０１の回転周波数の√２倍とするとともに、拡散ホイール３０１の回転周波数を蛍光ホイール１０１の回転周波数に対して√２倍とすることができる。
【００６４】
また、蛍光ホイール１０１、拡散ホイール２０１及び拡散ホイール３０１のいずれか２つの回転周波数の比率が無理数になるように回転周波数を変更しても良い。他方の回転周波数に対し非整数倍（例えば、1/√２倍）とすることができる。具体的には、拡散ホイール２０１及び拡散ホイール３０１の回転周波数を、蛍光ホイール１０１の回転周波数に対して1/√２倍とすることができる。或いは、拡散ホイール２０１の回転周波数を拡散ホイール３０１の回転周波数の1/√２倍とするとともに、拡散ホイール３０１の回転周波数を蛍光ホイール１０１の回転周波数に対して1/√２倍とすることができる。このように構成することで、一方のホイール部材の回転周波数を、他方のホイール部材の回転周波数のうちの共振周波数とは異なる回転周波数とし、ホイール同士の共振点を減らすことが出来る。
【００６５】
なお、赤透過領域２０２は、赤色レーザダイオード１２１から出射された赤色波長帯域光を拡散させる構成としてもよい。
【００６６】
（実施形態２）
次に、実施形態２について説明する。図６は、投影装置１０Ａの機能回路ブロック図である。また、図７は、実施形態２の投影装置１０Ａの内部構造の一部を示す平面模式図である。本実施形態の投影装置１０Ａでは、実施形態１の表示素子５１、光源装置６０及び表示駆動部２６の代わりに、それぞれ表示素子５１１〜５１３、光源装置６０Ａ及び液晶駆動部２６Ａを備えた投影装置１０Ａについて説明する。光源制御回路４１は光源装置６０Ａの発光動作を制御する。液晶駆動部２６Ａは、表示素子５１１，５１２，５１３の透光及び遮光の切り換えを制御する。
【００６７】
図７で、光源装置６０Ａは、青色光源装置として、青色レーザダイオード７１Ａ及び拡散ホイール装置３００Ａを備え、緑色光源装置及び赤色光源装置として、青色レーザダイオード７１Ｂ及び蛍光ホイール装置４００を備える。拡散ホイール装置３００Ａは、拡散ホイール３０１Ａ（第二ホイール部材，第一拡散ホイール）と、拡散ホイール３０１Ａを回転駆動させるモータ３１０Ａ（駆動部）を有する。蛍光ホイール装置４００は、蛍光ホイール４０１（第一ホイール部材）と、蛍光ホイール４０１を回転駆動させるモータ４１０（駆動部）を有する。また、光源装置６０Ａは、導光光学系として、ダイクロイックミラー５０２，５０３及び集光レンズ６０１を備える。
【００６８】
青色光源装置について説明する。青色レーザダイオード７１Ａから出射された青色波長帯域光は、コリメータレンズ７３により平行光となるように集光されて、拡散ホイール３０１Ａに向けて出射される。拡散ホイール３０１Ａは、図５に示した拡散ホイール３０１と同様に、全周に亘って単一の光源セグメントである拡散透過領域が設けられるように構成される。コリメータレンズ７３から出射された青色波長帯域光は、拡散ホイール３０１Ａで拡散透過されて、反射ミラー５０１に出射される。拡散ホイール３０１Ａからの青色波長帯域光は、反射ミラー５０１で反射され、集光レンズ６０１で集光された後、表示素子５１１に入射する。
【００６９】
緑色光源装置及び赤色光源装置について説明する。青色レーザダイオード７１Ｂから出射された青色波長帯域光は、コリメータレンズ７３により平行光となるように集光されて、ダイクロイックミラー５０２に入射する。ダイクロイックミラー５０２は、青色波長帯域光を反射し、緑色波長帯域光及び赤色波長帯域光を透過する。青色レーザダイオード７１Ｂから出射された青色波長帯域光は、ダイクロイックミラー５０２で反射して、蛍光ホイール４０１に向けて導光される。ここで、蛍光ホイール４０１について説明する。
【００７０】
図８は、蛍光ホイール４０１の平面模式図である。蛍光ホイール４０１は、円板状に形成され、その中央に取付孔部１１５を有する。この取付孔部１１５はモータ４１０の軸部に固定される。蛍光ホイール４０１はモータ４１０の回転とともに軸周りに回転することができる。
【００７１】
蛍光ホイール４０１は、複数の光源セグメントとして、緑色の蛍光発光領域４０２ａ（第一蛍光発光領域）と赤色の蛍光発光領域４０２ｂ（第二蛍光発光領域）を、周方向の環状に連続して並設している。蛍光ホイール４０１の基材は銅やアルミニウム等から成る金属基材である。この基材のダイクロイックミラー５０２側の表面は銀蒸着等によってミラー加工されている。ダイクロイックミラー５０２から出射された青色波長帯域光は、回転する蛍光ホイール４０１の緑色の蛍光発光領域４０２ａ又は赤色の蛍光発光領域４０２ｂに照射される。蛍光ホイール４０１は、拡散ホイール３０１Ａと非同期で回転する。
【００７２】
図７に戻り、蛍光ホイール４０１は、蛍光発光領域４０２ａに青色波長帯域光が照射されると、蛍光光として緑色波長帯域光をダイクロイックミラー５０２に出射する。また、蛍光ホイール４０１は、蛍光発光領域４０２ｂに青色波長帯域光が照射されると、蛍光光として赤色波長帯域光をダイクロイックミラー５０２に出射する。蛍光ホイール４０１は、緑色波長帯域光及び赤色波長帯域光を時分割で出射する。ダイクロイックミラー５０２は、緑色波長帯域光及び赤色波長帯域光を透過して、ダイクロイックミラー５０３へ導光する。
【００７３】
ダイクロイックミラー５０３は、緑色波長帯域光を反射し、赤色波長帯域光を透過する。そのため、ダイクロイックミラー５０３は、ダイクロイックミラー５０２から出射された緑色波長帯域光を反射ミラー５０４へ向けて反射し、赤色波長帯域光を反射ミラー５０５へ向けて透過する。
【００７４】
ダイクロイックミラー５０３で反射された緑色波長帯域光は、反射ミラー５０４で反射して、表示素子５１２に入射する。一方、ダイクロイックミラー５０３を透過した赤色波長帯域光は、反射ミラー５０５で反射して、表示素子５１３に入射する。
【００７５】
表示素子５１１，５１２，５１３の三方向から囲われる内側の位置には、ダイクロイックプリズム７０１が配置される。本実施形態の表示素子５１１，５１２，５１３は、ＬＣＤ（Ｌｉｑｕｉｄ  Ｃｒｙｓｔａｌ  Ｄｉｓｐｌａｙ）である。制御部３８は、各表示素子５１１，５１２，５１３を時分割で画素毎に透光又は遮光する切り換えの制御を行うことにより、ダイクロイックプリズム７０１に青色波長帯域光、緑色波長帯域光及び赤色波長帯域光を時分割で入射させる。ダイクロイックプリズム７０１は、青色波長帯域光及び赤色波長帯域光を集光レンズ６０２へ向けて反射させ、緑色波長帯域光を集光レンズ６０２へ向けて透過する。これにより、画像を形成する光が、集光レンズ６０２側へ出射される。
【００７６】
集光レンズ６０２は、ダイクロイックプリズム７０１から出射された光を集光して、図示しないスクリーン等に投影画像を表示させる。
【００７７】
以上、本実施形態によると、光源光を予め定めた特性の光に調光する二個以上のホイール部材である、拡散ホイール３０１及び蛍光ホイール４０１を備えた投影装置１０Ａにおいて、拡散ホイール３０１及び蛍光ホイール４０１の各回転周波数を非同期で回転駆動する構成について説明した。そのため、二個以上の回転するホイール部材が互いに振動を強め合って共振することを防ぐことができる。よって、光源装置及び投影装置１０Ａの騒音の発生を低減することができる。
【００７８】
なお、実施形態１又は実施形態２において、複数のホイール部材がいずれも複数のセグメント（蛍光発光領域，透過領域，拡散透過領域等）を備えた場合であっても、画像フレーム中に時分割で異なる波長帯域の光を出射できれば、各ホイール部材の回転周波数を非同期で回転駆動させてもよい。例えば、図３に示した投影装置１０において、拡散ホイール装置２００及び拡散ホイール装置３００を設けず、集光レンズ１７３とライトトンネル１７５の間の位置に拡散透過領域と赤透過領域とを周方向に並設させたホイール部材を設ける。制御部３８は、そのホイール部材の回転周波数を蛍光ホイール１０１の三倍となるように制御すると、画像フレーム中の緑色セグメント期間、青色セグメント期間及び赤色セグメント期間中の各々に、集光レンズ１７３とライトトンネル１７５の間に設けたホイール部材の拡散透過領域及び赤透過領域が光路上に位置される期間が生じる。したがって、画像フレーム中に異なる波長帯域の光を時分割で出射しながら、複数のセグメントを有する複数のホイール部材を、異なる回転周波数で回転駆動させることができる。
【００７９】
また、制御部３８は、投影装置１０，１０Ａを使用する環境（例えば、会議、シアター、ゲーム等）に応じて、二個以上のホイール部材の各回転周波数を同期させて回転駆動するモードと、非同期で回転駆動するモードとを切り替える構成としてもよい。
【００８０】
また、投影装置１０，１０Ａは、蛍光発光による光源を設けずに、青色波長帯域光、緑色波長帯域光及び赤色波長帯域光を出射する発光素子を備え、各色に対応する発光素子の光路上に各々拡散ホイールを設けたり、色純度を向上させるカラーホイールを設けたりする構成としてもよい。
【００８１】
本発明の各実施形態の光源装置６０及び投影装置１０は、光源光を予め定めた特性の光に調光して異なる波長帯域の光を出射する複数のホイール部材と、ホイール部材を回転駆動させる駆動部と、各ホイール部材の回転周波数が異なるように駆動部を制御する制御部と、を備える。よって、騒音の発生を低減させることができる。
【００８２】
また、一方のホイール部材の回転周波数が、他方のホイール部材の回転周波数の非整数倍である光源装置６０は、複数のホイール部材同士が回転駆動により振動を増幅して、光源装置６０等と共振することを低減することができる。
【００８３】
また、ホイール部材が、周方向に複数の光源セグメントを有する第一ホイール部材と、周方向に単一の光源セグメントを有する第二ホイール部材とを含む光源装置６０は、第一ホイール部材と第二ホイール部材とを同期させることなく、異なる特性の光を出射させることができる。
【００８４】
また、光源光が第一波長帯域光及び第二波長帯域光であり、第一ホイール部材が第一透過領域と第一蛍光発光領域とを周方向に並設する蛍光ホイール１０１であり、第二ホイール部材が拡散ホイール２０１及び拡散ホイール３０１の一方又は両方を含む光源装置６０は、光源光又は蛍光ホイール１０１から出射された光を、予め定めた特性の出射光に調光することができる。
【００８５】
また、光源光が第一波長帯域光であり、第一ホイール部材が第一蛍光発光領域と第二蛍光発光領域とを有する蛍光ホイール４０１であり、第二ホイール部材が拡散ホイール３０１である光源装置６０は、光源光又は蛍光ホイール４０１から出射された光を、予め定めた特性の出射光に調光することができる。
【００８６】
また、第一波長帯域光、第二波長帯域光及び第三波長帯域光が、各々青色波長帯域光、赤色波長帯域光及び緑色波長帯域光である光源装置６０は、カラー画像を形成することができる。
【００８７】
また、表示素子５１がＤＭＤ（Ｄｉｇｉｔａｌ  Ｍｉｒｒｏｒ  Ｄｅｖｉｃｅ）又はＬＣＤ（Ｌｉｑｕｉｄ  Ｃｒｙｓｔａｌ  Ｄｉｓｐｌａｙ）である投影装置１０は、光源光を画素毎に透光又は遮光して、投影画像を形成することができる。
【００８８】
また、光源装置６０の騒音低減方法及びプログラムは、光源装置６０が、光源光を予め定めた特性の光に調光して異なる波長帯域の光を出射する複数のホイール部材を回転駆動させる駆動部を、各ホイール部材の回転周波数が異なるように、制御する制御手段を含む。よって、騒音の発生を低減させることができる。
【００８９】
なお、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９０】
以下に、本願出願の最初の特許請求の範囲に記載された発明を付記する。
［１］  光源光を予め定めた特性の光に調光して異なる波長帯域の光を出射する複数のホイール部材と、
前記ホイール部材の駆動部と、
各前記ホイール部材の回転周波数が異なるように、前記駆動部を制御する制御部と、
を備えることを特徴とする光源装置。
［２］  一方の前記ホイール部材の前記回転周波数は、他方の前記ホイール部材の前記回転周波数の非整数倍であることを特徴とする上記［１］に記載の光源装置。
［３］  一方の前記ホイール部材の前記回転周波数は、他方の前記ホイール部材の前記回転周波数の共振周波数とは異なる前記回転周波数である
ことを特徴とする上記［１］又は上記［２］に記載の光源装置。
［４］  前記制御部は、前記複数のホイール部材の前記回転周波数の比率が無理数になるように、前記駆動部を制御する
ことを特徴とする上記［１］から上記［３］の何れか１項に記載の光源装置。
［５］  前記ホイール部材は、周方向に複数の光源セグメントを有する第一ホイール部材と、周方向に単一の光源セグメントを有する第二ホイール部材とを含むことを特徴とする上記［１］から上記［４］の何れか１項に記載の光源装置。
［６］  前記光源光は第一波長帯域光及び第二波長帯域光であり、
前記第一ホイール部材は、前記第一波長帯域光を透過する第一透過領域と、前記第一波長帯域光により励起されて第三波長帯域光を出射させる第一蛍光発光領域とを周方向に並設する蛍光ホイールであり、
前記第二ホイール部材は、前記第二波長帯域光が入射されて前記第二波長帯域光の波長帯域における所定の光を遮光して前記第二波長帯域光を透過する第二透過領域を全周に有する第一拡散ホイール、及び、前記第一透過領域を透過した前記第一波長帯域光を拡散透過させる拡散透過領域を全周に有する第二拡散ホイールの、一方又は両方を含む、
ことを特徴とする上記［５］に記載の光源装置。
［７］  前記光源光は第一波長帯域光であり、
前記第一ホイール部材は、前記第一波長帯域光により励起されて第三波長帯域光を出射させる第一蛍光発光領域と、前記第一波長帯域光により励起されて第二波長帯域光を出射させる第二蛍光発光領域とを有する蛍光ホイールであり、
前記第二ホイール部材は、前記第一波長帯域光を透過する透過領域を全周に有する拡散ホイールである、
ことを特徴とする上記［５］に記載の光源装置。
［８］  前記第一波長帯域光、前記第二波長帯域光及び前記第三波長帯域光は、各々青色波長帯域光、赤色波長帯域光及び緑色波長帯域光であることを特徴とする上記［６］又は上記［７］の何れかに記載の光源装置。
［９］  上記［１］乃至上記［８］の何れかに記載の光源装置と、
画像光を生成する表示素子と、
前記表示素子から出射された画像光をスクリーンに投影する投影側光学系と、
を備え、
前記制御部は、前記光源装置及び前記表示素子を制御する、
ことを特徴とする投影装置。
［１０］  前記表示素子は、ＤＭＤ（Ｄｉｇｉｔａｌ  Ｍｉｒｒｏｒ  Ｄｅｖｉｃｅ）又はＬＣＤ（Ｌｉｑｕｉｄ  Ｃｒｙｓｔａｌ  Ｄｉｓｐｌａｙ）であることを特徴とする上記［９］に記載の投影装置。
［１１］  光源装置の騒音低減方法であって、
光源光を予め定めた特性の光に調光して異なる波長帯域の光を出射する複数のホイール部材を回転駆動させる駆動部を、各前記ホイール部材の回転周波数が異なるように、制御する制御ステップ、
を含むことを特徴とする騒音低減方法。
［１２］  光源装置が実行するプログラムであって、
光源光を予め定めた特性の光に調光して異なる波長帯域の光を出射する複数のホイール部材を回転駆動させる駆動部を、各前記ホイール部材の回転周波数が異なるように、制御する制御手段、
としての機能を実行することを特徴とするプログラム。
【符号の説明】
【００９１】
１０，１０Ａ  投影装置                    １１      上面パネル
１２      正面パネル                      １３      背面パネル
１４      右側パネル                      １５      左側パネル
１７      排気孔                          １８      吸気孔
１９      レンズカバー                    ２０      端子
２１      入出力コネクタ部                ２２      入出力インターフェース
２３      画像変換部                      ２４      表示エンコーダ
２５      ビデオＲＡＭ                    ２６      表示駆動部
３１      画像圧縮／伸長部                ３２      メモリカード
３５      Ｉｒ受信部                      ３６      Ｉｒ処理部
３７      キー／インジケータ部            ３８      制御部
４１      光源制御回路                    ４３      冷却ファン駆動制御回路
４５      レンズモータ                    ４７      音声処理部
４８      スピーカ                        ５１      表示素子
６０，６０Ａ  光源装置                    ７０      励起光照射装置
７１      青色レーザダイオード            ７１Ａ，７１Ｂ  青色レーザダイオード
７３      コリメータレンズ                ７５      反射ミラー群
７８      集光レンズ                      ８０      緑色光源装置
８１      ヒートシンク                    １００    蛍光ホイール装置
１０１    蛍光ホイール                    １０２    蛍光発光領域
１０３    透過領域                        １１０    モータ
１１１    集光レンズ群                    １１２    取付孔部
１１３    取付孔部                        １１４    取付孔部
１１５    取付孔部                        １１６    集光レンズ
１２０    赤色光源装置                    １２１    赤色レーザダイオード
１２２    コリメータレンズ                １２３    集光レンズ
１２４    拡散板                          １２５    集光レンズ
１３０    ヒートシンク                    １４０    導光光学系
１４１    第一ダイクロイックミラー        １４３    第一反射ミラー
１４５    第二反射ミラー                  １４６    集光レンズ
１４７    集光レンズ                      １４８    第二ダイクロイックミラー
１４９    集光レンズ                      １７０    光源側光学系
１７３    集光レンズ                      １７５    ライトトンネル
１７８    集光レンズ                      １８１    光軸変換ミラー
１８３    集光レンズ                      １８５    照射ミラー
１９０    ヒートシンク                    １９５    コンデンサレンズ
２００    拡散ホイール装置                ２０１    拡散ホイール
２０２    赤透過領域                      ２１０    モータ
２２０    投影側光学系                    ２２５    固定レンズ群
２３５    可動レンズ群                    ２４１    制御回路基板
２６１    冷却ファン
３００，３００Ａ  拡散ホイール装置        ３０１，３０１Ａ  拡散ホイール
３０２    拡散透過領域                    ３１０，３１０Ａ  モータ
４００    蛍光ホイール装置                ４０１    蛍光ホイール
４０２    蛍光発光領域                    ４１０    モータ
４０２ａ  蛍光発光領域                    ４０２ｂ  蛍光発光領域
５０１    反射ミラー                      ５０２    ダイクロイックミラー
５０３    ダイクロイックミラー            ５０４    反射ミラー
５０５    反射ミラー                      ５１１    表示素子
５１２    表示素子                        ５１３    表示素子
６０１    集光レンズ                      ６０２    集光レンズ
７０１    ダイクロイックプリズム
【図１】
2019124719.tif 000003
【図２】
2019124719.tif 000004
【図３】
2019124719.tif 000005
【図４】
2019124719.tif 000006
【図５】
2019124719.tif 000007
【図６】
2019124719.tif 000008
【図７】
2019124719.tif 000009
【図８】
2019124719.tif 000010